(57)【特許請求の範囲】
【請求項１】
形状記憶処理等特別な処理や材質その物の性質によって、組立を要すことなく、周縁部と前縁部とが略直立可能に形成されていると共に、ポケットやバッグ等に収納出来るようにポリエチレンやポリスチレン等の気密性を有する軟質シート材からなるホルダと、
ホルダの内部に、縫製や接着等の固着手段により固着され、小水のみを吸水する吸水性を有する吸水性樹脂その他の吸水材からなる吸水体と、
不透明材からなり、人体の下半身の全体を覆う部分から形成されているカバーと、
を備えている、
携帯し易く、嵩張らず、持ち運びに便利で使用後はゴミ捨て場等に廃棄できる材料からなる、
ことを特徴とする携帯トイレ。
【発明の詳細な説明】
【０００１】
【発明の属する技術分野】
本発明は、携帯トイレに関し、特に携帯に便利で、しかも使用に際して簡単かつ確実に用を足すことが出来るようにした携帯トイレに関するものである。
【０００２】
【従来の技術】
従来、山やキャンプに行った場合、トイレが無いか、あっても数が足りない場合が多く、男性は時間が掛からない為に迅速に処理できる等小用を足すのにそれほど支障はないが、女性は小用を足し難いという問題点があった。
【０００３】
また、震災や水害等の災害時にあっては、トイレが足りず、女性が小用を足し難いという問題点があった。
【０００４】
そこで、従来、ボックスタイプの簡易トイレが提案されたが、携帯に不便であるばかりでなく、一度しか使用できない為、多人数分を用意すると嵩張って、持運びに不便であるという問題点があった。
【０００５】
さらに、従来の簡易トイレにあっては、外から見えてしまう為、野外では使用し難いという問題点があった。
【０００６】
【発明が解決しようとする課題】
このような従来技術の問題点に鑑み、本発明の主な目的は、携帯に便利で、しかも使用に際して簡単かつ確実に用を足すことが出来るようにした使い勝手に優れた携帯トイレを提供することにある。
【０００７】
【課題を解決するための手段】
このような目的は、本発明によれば、
気密性を有するシート材からなるホルダと、
吸水材からなる吸水体と、
人体の少なくとも下半身を覆うカバーと、
を備えている、
ことを特徴とする携帯トイレ、を提供することにより達成される。
【０００８】
【作用】
このように、本発明によれば、
ポケットに入れるように小さくて、しかも使い捨てできる携帯トイレとしたので、何処へでも携帯することが出来ると共に、使用に際して簡単かつ確実に用を足すことができ、しかも外から見えない為、女性でも使用し易く、さらにこれらの相乗効果によって使い勝手に優れた携帯トイレとなる。
【０００９】
【発明の実施の形態】
次に、本発明を添付の図面を参照して特定の実施の形態について詳述する。
【００１０】
図１〜図５及び図８〜図９は、本発明に基づく携帯トイレの実施の形態の第１例を示している。
【００１１】
本発明の実施の形態の第１例である携帯トイレ１は、
気密性を有するシート材からなると共に上部が開口された袋状に形成されたホルダ２と、
該ホルダに設けられると共に吸水性を有する吸水材からなる吸水体３と、
人体の少なくとも下半身を覆うカバー４と、
を備えている。
【００１２】
該ホルダ２は、小用をしても外に漏れないように気密性を有するシート材からなると共に、周縁部５が用を足すときに略直立可能な材料から形成されている。
【００１３】
該気密性を有するシート材からなる材料としては、合成樹脂（プラスチック）や不織布その他の気密性を有するシート材があり、例えば、ポリエチレンやポリスチレン等のシート材がある。
【００１４】
また、該ホルダ２は、その周縁部５が用を足すのに充分な高さとなる長さ（例えば、４〜１０ＣＭ）に形成されている。
【００１５】
さらに、このホルダ２は、前縁部６が用を足すのに充分な高さとなるように他の周縁部より長い長さ（例えば、８〜１５ＣＭ）に形成されている。
【００１６】
該ホルダ２は、使用に際して、周縁部５を小用を足すのに充分な高さとなる様に略直立形成させるものである。
【００１７】
また、このホルダ２は、使用に際して、前縁部６が用を足すのに充分な高さとなるように他の周縁部５より高い高さになるように調整して略直立形成させるものである。
【００１８】
該ホルダ２は、使用の際、すなわち小用を足すときに、周縁部と前縁部を略直立可能な材料から形成されているが、該機能は材質その物の性質であっても良いが、特別な処理をすることにより（例えば、形状記憶処理等）、該機能を付与することができる。
【００１９】
一方、上記吸水体３は、吸水性を有する吸水材からなるが、該吸水材としては、吸水性を有する吸水性樹脂その他の吸水性に優れた材料がある。
【００２０】
また、この吸水体３は、上記ホルダの内部（本実施例にあっては、略中央部）に設けられており、外部に漏れないように形成されている。
【００２１】
また、該吸水体３は、上記ホルダ２に合成樹脂（プラスチック）接着剤等の接着剤や相互に縫製する等の固着手段その他の固着手段により固着されている。
【００２２】
また、この吸水体３は、長円形や楕円形等の小用を足すのに充分な形と大きさ（例えば、１５〜２０ＣＭ×２５〜３０ＣＭ）に形成されている。
【００２３】
さらに、該吸水体３は、透水性のある布や紙等の繊維材その他の透水性に優れた材料からなるアウタ７により覆われている。
【００２４】
従って、使用の前後にばらばらになる等の不具合が生ずるのを阻止している。
【００２５】
一方、上記カバー４は、下半身を覆う部分８が不透明材から形成されている。
【００２６】
該不透明材としては、黒色その他のポリエチレンやポリスチレン等の合成樹脂（プラスチック）や不織布その他の不透明シート材がある。
【００２７】
また、このカバー４は、人体の上半身を覆う部分９を備えている。
【００２８】
この上半身を覆う部分９は、透明または半透明に形成されている。
【００２９】
この透明に形成されている場合には、視界が確保できる利点がある。
【００３０】
さらに、該上半身を覆う部分９は、頂部９ａに人体の頭部を出すことができるのに充分な大きさの孔９ｂが開設されている。
【００３１】
このカバー４は、使用に際して、少なくとも人体の下半身を覆った状態とし、上記吸水体３に対して小用をする。
【００３２】
該カバー４は、人体の下からはくなり、人体の上から被ったりして、少なくとも人体の下半身を覆うことで、小用の準備をした後、上記吸水体３に対して小用をする。
【００３３】
このカバー４は、例えば、黒色その他の不透明材からなるゴミ袋を転用しても良い。
【００３４】
また、このようにして使用を終えた携帯トイレ１は、折畳む等して持ち帰るか、またはゴミ捨場等の適当な所に廃棄する。
【００３５】
次に、本発明の実施の形態の第１例の使用方法と作動について説明する。
【００３６】
このような上記実施例の携帯トイレ１によれば、図１と図２によく示されているように、ホルダ２を広げて、周縁部５と前縁部６とを直立させて、小用をするのに充分な高さとした後、カバー４にて人体を覆って、小用をすることができ、使用後はゴミ捨て場等に廃棄することができる。
【００３７】
すなわち、使用方法と作動を詳述すると、
（１）  まず、ポケットやリュックやバッグ等の収納部から携帯トイレ１を取出した後、ホルダ４の周縁部５を広げ、該周縁部５が用を足すのに充分な高さとなる様に略直立形成させる。
（２）  次に、前縁部６が用を足すのに充分な高さとなるように他の周縁部５より高い高さになるように調整して略直立形成させる。
（３）  つづいて、このように周縁部５と前縁部６とを直立形成させたホルダ２を、用を足すのに適当な場所に設置する。
（４）  さらに、カバー４を人体の下からはくなり、人体の上から被ったり、頂部９ａに開設された孔９ｂから人体の頭部を出したりして、少なくとも人体の下半身を覆うことで、小用の準備をする。
（５）  このカバー４によって少なくとも人体の下半身を覆った状態にて、吸水体３に対して小用をする。
（６）  このようにして使用を終えた後は、使用した携帯トイレ１を折畳む等して持ち帰るか、またはゴミ捨場に廃棄する。
【００３８】
尚、上記カバー４は、透明または半透明に形成されている人体の上半身を覆う部分９を備えており、該上半身を覆う部分９を被ることで、風雨を避けることができる。
【００３９】
また、該上半身を覆う部分９の頂部９ａに開設されている人体の頭部を出すことができるのに充分な大きさの孔９ｂから、頭部を出すことができ、息苦しさを解消することができる。
【００４０】
このようにして、本発明は、ポケットに入れるように小さくて、しかも使い捨てできる携帯トイレとしたので、何処へでも携帯することが出来ると共に、使用に際して簡単かつ確実に用を足すことができ、しかも外から見えない為、女性でも使用し易く、さらにこれらの相乗効果によって使い勝手に優れた携帯トイレとなる。
【００４１】
尚、本発明の携帯トイレは、上記実施例の携帯トイレに限られることなく、上記実施例と異なる変形例とすることができる。
【００４２】
例えば、ホルダ２は、気密性を有するシート材からなるが、上記実施例のポリエチレンやポリスチレン等のシート材に限られることなく、その他の合成樹脂（プラスチック）や不織布その他の気密性を有するシート材とすることができる。さらに、ホルダ２は、使用の際、すなわち小用を足すときに、周縁部と前縁部を略直立可能な材料から形成されているが、該機能は材質その物の性質であっても良いが、材料に特別な処理をすることにより（例えば、形状記憶処理等）、該機能を付与することができる。
【００４３】
また、ホルダ２は、上記実施例にあっては、使用の際すなわち小用を足すときに、周縁部と前縁部を略直立可能なものとしたが、これに限られることなく、小用が外に漏れないものであれば、該略直立形状以外の形状（例えば、斜め形状等）とするものとすることが出来る。
【００４４】
一方、吸水体３は、上記実施例の吸水性樹脂に限られることなく、その他の吸水性に優れた材料とすることが出来るのは勿論である。
【００４５】
また、吸水体３は、上記実施例の長円形や楕円形に限られることなく、小用を足すのに充分な形と大きさ出あれば、形状や大きさを問わない。
【００４６】
さらに、この吸水体３を覆うアウタ７は、上記実施例の布や紙に限られることなく、不織布その他の透水性に優れた材料とすることが出来る。
【００４７】
また、この吸水体３は、上記実施例のホルダの中央に設けたものに限られることなく、小用が外に漏れないものであれば、ホルダの中央以外の箇所に設けたものとすることができるのは勿論である。
【００４８】
さらに、吸水体３は、上記実施例のホルダ２に接着剤や縫製により固着されているものに限られることなく、熱融着その他の固着手段により固着したものとすることができる。
【００４９】
図６及び図１０〜図１１は、本発明に基づく携帯トイレの実施の形態の第２例を示している。
【００５０】
本実施の形態の第２例のカバー４は、前記実施の形態の第１例の人体の上半身を覆う部分９を備えているものに限られることなく、該上半身を覆う部分９を有することなく、不透明材から形成されている下半身を覆う部分８のみとしたものであり、構造が簡単であると共に、風雨さえなければ反って使い易いという利点が有る。
【００５１】
図７及び図１２〜図１３は、本発明に基づく携帯トイレの実施の形態の第３例を示している。
【００５２】
また、このカバー４は、前記実施の形態の第１例にあっては、下半身を覆う部分８を不透明材から形成すると共に、上半身を覆う部分９を透明または半透明に形成されているものとしたが、これに限られることなく、全体を不透明材から形成したものである。
【００５３】
さらに、このカバー４は、前記実施の形態の第１例にあっては、上半身を覆う部分は、頂部に人体の頭部を出すことができる孔が開設されているが、これに限られることなく、孔が開設されてない無いものに形成したものである。
【００５４】
このカバー４は、例えば、黒色その他の不透明材からなるゴミ袋を転用しても良い。
【００５５】
このように、本発明の携帯トイレは、上記実施例の形状や材料のものに限られることなく、異なる形状や材料のものとすることができるのは勿論である。
【００５６】
尚、本発明の携帯トイレは、上記実施例の携帯トイレ１に限られることなく、上記実施例と異なる形状や材料の種々の変形例とすることができる。
【００５７】
【発明の効果】
このように、本発明によれば、ポケットに入れるように小さくて、しかも使い捨できる携帯トイレとしたので、何処へでも携帯することが出来ると共に、使用に際して簡単かつ確実に用を足すことができ、しかも外から見えない為、女性でも使用し易く、さらにこれらの相乗効果によって使い勝手に優れた携帯トイレとなる。
【００５８】
すなわち、
（１）  本発明によれば、人体の少なくとも下半身を覆うカバーを備えているので、従来の簡易トイレのように、外から見えてしまい、野外では使用し難いという従来の問題点が解消される効果がある。
（２）  本発明によれば、従来の簡易トイレのように、携帯に不便で、一度しか使用できず、嵩張って、持運びに不便である等の問題点が解消される効果がある。（３）  本発明によれば、携帯し易く、嵩張らず、持ち運びに便利であるので、震災や水害等の災害時に使用し易く、トイレが足りず、女性が小用を足し難いという従来の問題点が解消される効果がある。
（４）  本発明によれば、携帯し易く、嵩張らず、持ち運びに便利であるので、山やキャンプに行った場合、トイレが無いか、あっても数が足りない場合にあっても、女性が小用を足し難いという従来の問題点が解消される効果がある。
（５）  本発明によれば、携帯し易く、嵩張らず、持ち運びに便利であるので、簡易に使用して、使用後は廃棄できるから、場所を問わず何処でも使用することができる効果がある。
（６）  本発明によれば、携帯し易く、嵩張らず、持ち運びに便利であるので、何処へでも携帯出来ると共に、簡単かつ確実に小用を足すことができ、しかも外から見えない為、女性が使用し易く、これら相乗効果によって使い勝手に優れるという効果がある。
（７）  本発明によれば、携帯し易く、嵩張らず、持ち運びに便利であるので、構造が簡単となると共に、コストを著しく安価にすることができる効果がある。
（８）  本発明によれば、構造が簡易で嵩張らないものとなったので、小型軽量化するので、スペースを可及的に少なくすることができる効果がある。
（９）  本発明によれば、これらの相乗効果によって、使い勝手に優れた携帯トイレとなり、その効果は極めて大である。
【図面の簡単な説明】
【図１】本発明に基づく携帯トイレの実施の形態の第１例を示す平面図である。
【図２】同携帯トイレを示す正面断面図である。
【図３】同携帯トイレの使用状態を示す平面図である。
【図４】同携帯トイレの使用状態を示す正面断面図である。
【図５】本発明に基づく携帯トイレのカバーの実施の形態の第１例を示す平面断面図である。
【図６】本発明に基づく携帯トイレのカバーの実施の形態の第２例を示す平面断面図である。
【図７】本発明に基づく携帯トイレのカバーの実施の形態の第３例を示す平面断面図である。
【図８】本発明に基づく携帯トイレに使用するカバーの第１例の使用状態のうちカバーを被った状態を示す正面断面図である。
【図９】本発明に基づく携帯トイレに使用するカバーの第１例の使用状態のうちカバーを被って小用を足す状態を示す側面断面図である。
【図１０】本発明に基づく携帯トイレに使用するカバーの第２例の使用状態のうちカバーを被った状態を示す正面断面図である。
【図１１】本発明に基づく携帯トイレに使用するカバーの第２例の使用状態のうちカバーを被って小用を足す状態を示す側面断面図である。
【図１２】本発明に基づく携帯トイレに使用するカバーの第３例の使用状態のうちカバーを被った状態を示す正面断面図である。
【図１３】本発明に基づく携帯トイレに使用するカバーの第３例の使用状態のうちカバーを被って小用を足す状態を示す側面断面図である。
【符号の説明】
１      携帯トイレ
２      ホルダ
３      吸水体
４      カバー
５      周縁部
６      前縁部
７      アウタ
８      下半身を覆う部分
９      人体の上半身を覆う部分
９ａ    頂部
９ｂ    孔
【図１】
0003582058.tif 000002
【図２】
0003582058.tif 000003
【図３】
0003582058.tif 000004
【図４】
0003582058.tif 000005
【図５】
0003582058.tif 000006
【図６】
0003582058.tif 000007
【図７】
0003582058.tif 000008
【図８】
0003582058.tif 000009
【図９】
0003582058.tif 000010
【図１０】
0003582058.tif 000011
【図１１】
0003582058.tif 000012
【図１２】
0003582058.tif 000013
【図１３】
0003582058.tif 000014